(57)【要約】      （修正有）【課題】使用がより快適で、理学療法的効果がより優れているマッサージ機構を提供する。【解決手段】駆動モータ１と、ギアボックスアセンブリ２とロータアセンブリ３を備える。ロータアセンブリ３上に大型施療子アセンブリ４と小型施療子アセンブリ５を設け、大型施療子アセンブリ４が弾性衝撃吸収ブロックを介してロータアセンブリ３と固定接続し、小型施療子アセンブリ５が弾性支持部を介してロータアセンブリ３と固定接続する。【選択図】図１
0003175206.tif 000002
【実用新案登録請求の範囲】
【請求項１】
駆動モータ（１）と、ギアボックスアセンブリ（２）とロータアセンブリ（３）を備え、前記ロータアセンブリ（３）上に大型施療子アセンブリ（４）と小型施療子アセンブリ（５）を設け、前記大型施療子アセンブリ（４）が弾性衝撃吸収ブロック（４６）を介してロータアセンブリ（３）と固定接続し、前記小型施療子アセンブリ（５）が弾性支持部（５２）を介してロータアセンブリ（３）と固定接続することを特徴とする新型マッサージ機構。
【請求項２】
前記ギアボックスアセンブリ（２）が、ギアボックス下部カバー（２１）と、大型ギア（２２）と、ウォームギア（２３）と、ギアボックス上部カバー（２４）を備え、前記大型ギア（２２）の下端が軸受を介してギアボックス下部カバー（２１）と接続し、大型ギア（２２）の上端が軸受を介してロータアセンブリ（３）と接続することを特徴とする請求項１に記載の新型マッサージ機構。
【請求項３】
前記大型施療子アセンブリ（４）が大型施療子（４１）と振動モータ（４３）を備え、前記大型施療子（４１）が振動モータ（４３）と固定接続することを特徴とする請求項１に記載の新型マッサージ機構。
【請求項４】
前記大型施療子（４１）が外カバー（４１１）と内カバー（４１２）を備え、前記外カバー（４１１）が回転軸装置（４２）を介して内カバー（４１２）と接続することを特徴とする請求項３に記載の新型マッサージ機構。
【考案の詳細な説明】
【技術分野】
【０００１】
本考案は、理学療法機器分野における新型マッサージ機構に関する。
【背景技術】
【０００２】
現在市場でよく見られる理学療法機器に使用されているマッサージ機構は、回転方式によって施療子を動かしてマッサージの動作を行うものであり、マッサージの動作は単一的に繰り返されるため、使用中に身体的な疲労が生じ易く、快適感に欠け、理想的なマッサージの理学療法的効果をあげることができていない。
【考案の概要】
【考案が解決しようとする課題】
【０００３】
上記の回転機構に存在する欠陥について、本考案が解決しようとする技術的課題は、使用がより快適で、理学療法的効果がより優れているマッサージ機構を提供することである。
【課題を解決するための手段】
【０００４】
上記の技術的課題を解決するため、本考案が採用する技術的な解決手段は、駆動モータと、ギアボックスアセンブリとロータアセンブリを備え、前記ロータアセンブリ上に大型施療子アセンブリと小型施療子アセンブリを設け、前記大型施療子アセンブリが弾性衝撃吸収ブロックを介してロータアセンブリと固定接続し、前記小型施療子アセンブリが弾性支持部を介してロータアセンブリと固定接続し、ギアボックスアセンブリが、ギアボックス下部カバーと、大型ギアと、ウォームギアと、ギアボックス上部カバーを備え、前記大型ギアの下端が軸受を介してギアボックス下部カバーと接続し、大型ギアの上端が軸受を介してロータアセンブリと接続し、大型施療子アセンブリが大型施療子と振動モータを備え、前記大型施療子が振動モータと固定接続し、大型施療子が外カバーと内カバーを備え、外カバーが回転軸装置を介して内カバーと接続し、回転機構の基礎の上に施療子に対して振動構造を追加し、同時に、施療子には外カバーと内カバーの二層構造を採用し、外カバーと内カバーが回転軸装置を介して接続し、使用するときに外カバーと内カバーが抵抗により相対運動を発生させることにより、身体に作用する動作を多元化させる新型マッサージ機構である。
【考案の効果】
【０００５】
上記マッサージ機構を採用することで生み出される有効な効果は、施療子が回転すると同時に振動し、同時に施療子に外カバーと内カバーの二層設計を採用し、施療子の二層カバーの間に相対運動が発生するため、身体に作用する施療子の動作が多元化し、指で揉むような動作と拳で叩くような動作が発生し、単一な動作によって身体に生じる不快感を防止し、より優れた理学療法的効果をあげることができる。
【図面の簡単な説明】
【０００６】
【図１】本考案の構造模式図である。
【図２】本考案の分解図である。
【図３】大型施療子アセンブリのＡ−Ａ断面拡大図である。
【図４】大型施療子アセンブリの分解図である。
【考案を実施するための形態】
【０００７】
以下、図面を参照し、考案を実施するための形態について、更に詳細に説明するが、次に示す実施例は本考案を説明するために用いるものであり、本考案の範囲を限定するために用いるものではない。
【０００８】
図１に示される新型マッサージ機構は、駆動モータ１と、ギアボックスアセンブリ２と二組のロータアセンブリ３を備える。
【０００９】
ギアボックスアセンブリ２は、ギアボックス下部カバー２１と、大型ギア２２と、ウォームギア２３とギアボックス上部カバー２４で構成され、前記大型ギア２２下端の回転軸は軸受を介してギアボックス下部カバー２１と固定接続し、大型ギア２２上端の回転軸は軸受を介してロータアセンブリ３と固定接続し、ギアボックス下部カバー２１とギアボックス上部カバー２４はセルフタッピングネジを介してしっかりと固定され、駆動モータ１はウォームギア２３を介して大型ギア２２を駆動する。
【００１０】
ロータアセンブリ３は、ロータ３４と、大型クランプ３３と、円形ＰＣＢ３２と保護カバー３１を備え、ロータ３４の下側は下からに上に円形ＰＣＢ３２と大型クランプ３３に順に固定接続し、保護カバー３１の形状はロータ３４に対応し、保護カバー３１はギアボックス上部カバー２４と固定接続する。
【００１１】
ロータアセンブリ３は、更にロータ３４上に固定された大型施療子アセンブリ４と小型施療子アセンブリ５を備え、大型施療子アセンブリ４は、大型施療子４１と、回転軸装置４２と、振動モータ４３と、ペレット４４と、振動モータカバー４５と弾性衝撃吸収ブロック４６で構成され、大型施療子４１はセルフタッピングネジを介してその下部の振動モータカバー４５上端に固定接続し、振動モータカバー４５と内蔵の振動モータ４３はネジを介して固定し、振動モータカバー４５下端と弾性衝撃吸収ブロック４６はフラットセルフタッピングネジを介して固定接続し、弾性衝撃吸収ブロック４６上端はペレット４４を固定し、弾性衝撃吸収ブロック４６下端はネジを介してロータ３４底部に固定された大型クランプ３３と固定接続し、前記大型施療子４１は外カバー４１１と内カバー４１２の二層構造を備え、外カバーと内カバーは回転軸装置４２を介して接続する。
【００１２】
小型施療子アセンブリ５は、小型施療子５１と、環状ＬＥＤ配線板５３と、スプリング５２を備え、環状ＬＥＤ配線板５３はロータ３４と固定接続し、小型施療子５１はスプリング５２を介してロータ３４と固定接続する。
【００１３】
駆動モータ１が作動するとき、固定された大型施療子アセンブリ４と小型施療子アセンブリ５のロータアセンブリ３が回転し、同時に振動モータ４３が作動するとき、大型施療子４１が振動し、大型施療子４１が回転軸を介して接続する内カバー４１２と外カバー４１１の構造は、作動時の抵抗が異なるために相対運動し、多元化されたマッサージ動作を生み出す回転振動マッサージ機構を構成する。
【００１４】
上記実施例において、大型施療子アセンブリ４の中の弾性衝撃吸収ブロック４６は、スプリング装置又はその他の弾性を有する支持部とすることもできる。小型施療子アセンブリ５は、ゴム製ブロック又はその他の弾性を有する支持部を介してロータ３４に固定接続することもできる。
【００１５】
以上は本考案の好ましい実施例に過ぎず、本考案の制限に用いるものではなく、いずれも本考案の精神と原則の範囲内であり、変更、同等の交換、改善等は、いずれも本考案の保護範囲に属するものである。
【図１】
0003175206.tif 000003
【図２】
0003175206.tif 000004
【図３】
0003175206.tif 000005
【図４】
0003175206.tif 000006